(57)【要約】【課題】プリチャージ無しの期間におけるデータの書き込みを改善する。【解決手段】電気光学装置は、複数の画素と、複数の走査線のうち一の走査線を、単位期間毎に順次、選択する走査線駆動回路と、単位期間はｋ本のデータ線に時分割で書き込みをするためのｋ個の書き込み期間を含み、単位期間においてｋ本のデータ線から一のデータ線を順次、選択する複数のスイッチと、第１単位期間においてｋ個の書き込み期間の前にｋ本のデータ線にプリチャージ電位を供給し、当該第１単位期間に続く第２単位期間においてｋ本のデータ線へのプリチャージ電位の供給を停止するデータ信号生成回路とを有し、走査線駆動回路は、第１単位期間において第１走査線を選択し、当該第１単位期間の少なくとも一部において、第１走査線に加え、当該第１走査線に続く第２走査線を選択し、第２単位期間において当該第２走査線を選択する。【選択図】図５
2015152609.tif 000002
【特許請求の範囲】
【請求項１】
複数の走査線および複数のデータ線の交差に対応して設けられ、対応する一の走査線が選択された時に、対応する一のデータ線の電位に応じた階調を示す複数の画素と、
前記複数の走査線のうち一の走査線を、単位期間毎に順次、選択する走査線駆動回路と、
前記単位期間は前記複数のデータ線の少なくとも一部に時分割で書き込みをするための複数の書き込み期間を含み、前記単位期間において前記少なくとも一部のデータ線から一のデータ線を順次、選択する複数のスイッチと、
第１単位期間において前記複数の書き込み期間の前に前記少なくとも一部のデータ線にプリチャージ電位を供給し、当該第１単位期間に続く第２単位期間において前記少なくとも一部のデータ線へのプリチャージ電位の供給を停止するデータ信号生成回路と
を有し、
前記走査線駆動回路は、前記第１単位期間において第１走査線を選択し、当該第１単位期間の少なくとも一部において、前記第１走査線に加え、当該第１走査線に続く第２走査線を選択し、前記第２単位期間において当該第２走査線を選択する
ことを特徴とする電気光学装置。
【請求項２】
前記走査線駆動回路は、前記第１単位期間のうち、前記プリチャージ電位を供給している期間から、前記第２走査線を選択する
ことを特徴とする請求項１に記載の電気光学装置。
【請求項３】
前記走査線駆動回路は、前記第１単位期間のうち、前記複数の書き込み期間の後の期間から、前記第２走査線を選択する
ことを特徴とする請求項１に記載の電気光学装置。
【請求項４】
前記走査線駆動回路は、前記第１単位期間における前記複数の書き込み期間のうち最先の書き込み期間から、前記第２走査線を選択する
ことを特徴とする請求項１に記載の電気光学装置。
【請求項５】
前記複数のデータ線の少なくとも一部がｋ本毎に区分されており、
前記単位期間はｋ本のデータ線に時分割で書き込みをするためのｋ個の書き込み期間を含み、
前記複数のスイッチは、前記単位期間においてｋ本のデータ線から一のデータ線を順次、選択する
ことを特徴とする請求項１ないし４のいずれか一項に記載の電気光学装置。
【請求項６】
前記データ信号生成回路は、連続するｋ本の走査線を１単位として、１単位毎に前記プリチャージ電位を供給する走査線を異ならせる
ことを特徴とする請求項５に記載の電気光学装置。
【請求項７】
前記データ信号生成回路は、前記画素に供給される電位の極性を１単位期間毎に反転させ、かつ、連続するｋ個の単位期間において、一の走査線についてみると正極性の前記プリチャージ電位が供給される単位期間の数と負極性の前記プリチャージ電位が供給される単位期間の数が等しくなるように、前記プリチャージ電位を供給する走査線を１単位期間毎に異ならせる
ことを特徴とする請求項６に記載の電気光学装置。
【請求項８】
前記データ信号生成回路は、前記画素に供給される電位の極性を１単位期間毎に反転させ、かつ、連続するｋ個の単位期間において、一の走査線についてみると正極性の前記プリチャージ電位が供給される単位期間の数と負極性の前記プリチャージ電位が供給される単位期間の数が等しくなるように、前記プリチャージ電位を供給する走査線を２単位期間毎に異ならせる
ことを特徴とする請求項６に記載の電気光学装置。
【請求項９】
複数の走査線および複数のデータ線の交差に対応して設けられ、対応する一の走査線が選択された時に、対応する一のデータ線の電位に応じた階調を示す複数の画素と、
前記複数の走査線のうち一の走査線を、単位期間毎に順次、選択するステップと、
前記単位期間は前記複数のデータ線の少なくとも一部に時分割で書き込みをするための複数の書き込み期間を含み、前記単位期間において前記少なくとも一部のデータ線から一のデータ線を順次、選択するステップと、
第１単位期間において前記ｋ個の書き込み期間の前に前記少なくとも一部のデータ線にプリチャージ電位を供給し、当該第１単位期間に続く第２単位期間において前記少なくとも一部のデータ線へのプリチャージ電位の供給を停止するステップと
を有し、
前記第１単位期間において第１走査線を選択し、当該第１単位期間の少なくとも一部において、前記第１走査線に加え、当該第１走査線に続く第２走査線を選択し、前記第２単位期間において当該第２走査線を選択する
ことを特徴とする電気光学装置の駆動方法。
【発明の詳細な説明】
【技術分野】
【０００１】
本発明は、電気光学装置および電気光学装置の駆動方法に関する。
【背景技術】
【０００２】
液晶素子等の電気光学素子を用いたドットマトリクス表示装置が知られている。これらの表示装置における表示品質向上のため、画素にデータを書き込む前にプリチャージ電圧を印加する技術が知られている。一方で、近年、表示装置は高解像度化しており、この表示装置の駆動には、駆動回路を高速で動作させることが求められている。特許文献１は、プリチャージを用いる駆動方法において、プリチャージを行う期間を１水平期間毎に切り替える技術を開示している。
【先行技術文献】
【特許文献】
【０００３】
【特許文献１】特開２０１２−５３４０７号公報
【発明の概要】
【発明が解決しようとする課題】
【０００４】
特許文献１においては、プリチャージ無しの期間において、電気光学装置内部の遅延（配線遅延や負荷容量による遅延）により、プリチャージ有りの期間と比較して最初の書き込み期間におけるデータの書き込みが正常に行われない場合があった。
【０００５】
これに対し本発明は、プリチャージ無しの期間におけるデータの書き込みを改善する技術を提供する。
【課題を解決するための手段】
【０００６】
本発明は、複数の走査線および複数のデータ線の交差に対応して設けられ、対応する一の走査線が選択された時に、対応する一のデータ線の電位に応じた階調を示す複数の画素と、前記複数の走査線のうち一の走査線を、単位期間毎に順次、選択する走査線駆動回路と、前記単位期間は前記複数のデータ線の少なくとも一部に時分割で書き込みをするための複数の書き込み期間を含み、前記単位期間において前記少なくとも一部のデータ線から一のデータ線を順次、選択する複数のスイッチと、第１単位期間において前記複数の書き込み期間の前に前記少なくとも一部のデータ線にプリチャージ電位を供給し、当該第１単位期間に続く第２単位期間において前記少なくとも一部のデータ線へのプリチャージ電位の供給を停止するデータ信号生成回路とを有し、前記走査線駆動回路は、前記第１単位期間において第１走査線を選択し、当該第１単位期間の少なくとも一部において、前記第１走査線に加え、当該第１走査線に続く第２走査線を選択し、前記第２単位期間において当該第２走査線を選択することを特徴とする電気光学装置を提供する。
この電気光学装置によれば、プリチャージ無しの期間におけるデータの書き込みを改善することができる。
【０００７】
前記走査線駆動回路は、前記第１単位期間のうち、前記プリチャージ電位を供給している期間から、前記第２走査線を選択してもよい。
この電気光学装置によれば、前記プリチャージ電位を供給する期間の後から第２走査線を選択する場合と比較して、プリチャージ無しの期間におけるデータの書き込みをさらに改善することができる。
【０００８】
前記走査線駆動回路は、前記第１期間のうち、前記複数の書き込み期間の後の期間から、前記第２走査線を選択してもよい。
この電気光学装置によれば、書き込み期間の前または途中から第２走査線を選択する場合と比較して、消費電力を低減することができる。
【０００９】
前記走査線駆動回路は、前記第１単位期間における前記複数の書き込み期間のうち最先の書き込み期間から、前記第２走査線を選択してもよい。
この電気光学装置によれば、書き込み期間の途中または後から第２走査線を選択する場合と比較して、プリチャージ無しの期間におけるデータの書き込みをさらに改善することができる。
【００１０】
前記複数のデータ線の少なくとも一部がｋ本毎に区分されており、前記単位期間はｋ本のデータ線に時分割で書き込みをするためのｋ個の書き込み期間を含み、前記複数のスイッチは、前記単位期間においてｋ本のデータ線から一のデータ線を順次、選択してもよい。
この電気光学装置によれば、データ線がｋ本ずつに区分されている電気光学装置において、プリチャージ無しの期間におけるデータの書き込みを改善することができる。
【００１１】
前記データ信号生成回路は、連続するｋ本の走査線を１単位として、１単位毎に前記プリチャージ電位を供給する走査線を異ならせてもよい。
この電気光学装置によれば、プリチャージ有りの走査線に対応する画素とプリチャージ無しの走査線に対応する画素との輝度の差を低減することができる。
【００１２】
前記データ信号生成回路は、前記画素に供給される電位の極性を１単位期間毎に反転させ、かつ、連続するｋ個の単位期間において、一の走査線についてみると正極性の前記プリチャージ電位が供給される単位期間の数と負極性の前記プリチャージ電位が供給される単位期間の数が等しくなるように、前記プリチャージ電位を供給する走査線を１単位期間毎に異ならせてもよい。
この電気光学装置によれば、画素の劣化を低減することができる。
【００１３】
前記データ信号生成回路は、前記画素に供給される電位の極性を１単位期間毎に反転させ、かつ、連続するｋ個の単位期間において、一の走査線についてみると正極性の前記プリチャージ電位が供給される単位期間の数と負極性の前記プリチャージ電位が供給される単位期間の数が等しくなるように、前記プリチャージ電位を供給する走査線を２単位期間毎に異ならせてもよい。
この電気光学装置によれば、画素の劣化を低減することができる。
【００１４】
また、本発明は、複数の走査線および複数のデータ線の交差に対応して設けられ、対応する一の走査線が選択された時に、対応する一のデータ線の電位に応じた階調を示す複数の画素と、前記複数の走査線のうち一の走査線を、単位期間毎に順次、選択するステップと、前記単位期間は前記複数のデータ線の少なくとも一部に時分割で書き込みをするための複数の書き込み期間を含み、前記単位期間において前記少なくとも一部のデータ線から一のデータ線を順次、選択するステップと、第１単位期間において前記ｋ個の書き込み期間の前に前記少なくとも一部のデータ線にプリチャージ電位を供給し、当該第１単位期間に続く第２単位期間において前記少なくとも一部のデータ線へのプリチャージ電位の供給を停止するステップとを有し、前記第１単位期間において第１走査線を選択し、当該第１単位期間の少なくとも一部において、前記第１走査線に加え、当該第１走査線に続く第２走査線を選択し、前記第２単位期間において当該第２走査線を選択することを特徴とする電気光学装置の駆動方法を提供する。
この方法によれば、プリチャージ無しの期間におけるデータの書き込みを改善することができる。
【図面の簡単な説明】
【００１５】
【図１】一実施形態に係る電気光学装置１００の構成を示す図である。
【図２】画素１１の構成を示す図である。
【図３】データ線駆動回路２２の構成を示す図である。
【図４】従来技術に係る電気光学装置の動作を示すタイミングチャートである。
【図５】一実施形態に係る電気光学装置の動作を示すタイミングチャートである。
【図６】ラインローテーションのパターンを例示する図である。
【図７】ラインローテーションに用いられる走査信号の波形を例示する図である。
【図８】ラインローテーションに用いられる走査信号の波形を例示する図である。
【図９】ラインローテーションに用いられる走査信号の波形を例示する図である。
【図１０】ラインローテーションに用いられる走査信号の波形を例示する図である。
【図１１】ラインローテーションに用いられる走査信号の波形の別の例を示す図。
【図１２】ラインローテーションに用いられる走査信号の波形の別の例を示す図。
【図１３】ラインローテーションに用いられる走査信号の波形の別の例を示す図。
【図１４】ラインローテーションに用いられる走査信号の波形の別の例を示す図。
【図１５】一実施形態に係るプロジェクター２１００を例示する図である。
【発明を実施するための形態】
【００１６】
１．構成
図１は、一実施形態に係る電気光学装置１００の構成を示す図である。電気光学装置１００は、入力される映像信号Ｖｉｎに応じた画像を表示する装置である。電気光学装置１００は、表示領域１０と、駆動回路２０と、制御回路３０とを有する。この例で、電気光学装置１００は、電気光学素子として液晶素子を用いた液晶装置である。
【００１７】
表示領域１０は、ｍ×ｎ個の画素１１と、ｍ本の走査線１２と、ｎ本のデータ線１３とを有する。ｍおよびｎはいずれも自然数である。ｍ本の走査線１２およびｎ本のデータ線１３は、それぞれ第１方向および第２方向に沿って形成されている。画素１１は、走査線１２およびデータ線１３の交差に相当する位置に配置されている。すなわち、画素１１はｍ行ｎ列のマトリクス状に配置されている。この例で、ｎ本のデータ線１３は、連続するｋ本を単位として、ｄ個のブロックに区分されている（ｄ＝ｎ／ｋ）。説明のため、これらｄ個のブロックのうちｉ番目のブロックをブロックＢ［ｉ］という。
【００１８】
図２は、画素１１の構成を示す図である。画素１１は、液晶素子１１１と、スイッチング素子１１２と、保持容量１１３とを有する。液晶素子１１１は、対応する走査線１２およびデータ線１３に供給される信号に応じた階調を示す。以下、走査線１２およびデータ線１３に供給される信号を、それぞれ走査信号およびデータ信号という。走査信号は、選択状態または非選択状態のいずれかを示す２値の信号である。データ信号は階調値に応じた電圧を示す多値の信号である。データ信号の電圧をデータ電圧という。
【００１９】
液晶素子１１１は、供給される信号に応じた階調を示す素子である。液晶素子１１１は、画素電極１１４と、液晶１１５とを有する。画素電極１１４は画素１１毎に設けられた電極であり、第１基板（図示略）上に形成されている。電気光学装置１００は第１基板と対向する第２基板（図示略）をさらに有している。第２基板上には、全ての画素１１に共通の共通電極１１６が形成されている。第１基板および第２基板は一定の空隙を保つように保持されている。液晶１１５は、画素電極１１４と共通電極１１６との間（第１基板と第２基板との間）に保持されている。液晶１１５の光学状態（例えば反射率または透過率）は、画素電極１１４および共通電極１１６の間の電圧に応じて変化する。液晶１１５は、例えばノーマリーブラック型のＶＡ（Virtical Alignment）液晶である。共通電極１１６には、共通電位ＬＣｃｏｍが与えられる。
【００２０】
スイッチング素子１１２は、画素電極１１４へのデータ信号の供給をオンまたはオフする素子である。この例で、スイッチング素子１１２は、いわゆる薄膜トランジスター（Thin Film Transistor、ＴＦＴ）であり、画素電極１１４が形成されている第１基板上に形成されている。スイッチング素子１１２は電界効果トランジスター（Field Effect Transistor、ＦＥＴ）であり、この例ではｎチャネル型のＦＥＴである。スイッチング素子がｎチャネル型のＦＥＴであるので、走査信号において、選択状態および非選択状態を示す信号は、それぞれＨ（high）レベルおよびＬ（low）レベルの信号である。スイッチング素子１１２のゲート、ソース、およびドレインは、それぞれ、走査線１２、データ線１３、および画素電極１１４に接続されている。スイッチング素子１１２は、ゲートにＬレベルの走査信号が供給されているときはソースとドレインが絶縁する。ゲートにＨレベルの走査信号が供給されるとソースとドレインが導通し、画素電極１１４はデータ線１３と同電位になる。
【００２１】
保持容量１１３は、一端が画素電極１１４に、他端が容量線１１７に、それぞれ接続されている。容量線１１７には、あらかじめ決められた電圧（例えば時間的に一定の電圧）が印加される。
【００２２】
液晶１１５には、共通電極１１６の電位（共通電位ＬＣｃｏｍ）と画素電極１１４の電位との差に相当する電圧が印加される。ゲートにＨレベルの走査信号が供給されているときは画素電極１１４はデータ線１３と同電位になり、データが書き込まれる。ゲートにＬレベルの走査信号が供給されているときは、液晶１１５のリーク電流等により書き込まれたデータは失われるが、データの書き込みを繰り返し行うことで表示を維持する。データの書き込みの周期をフレームという。例えば、１フレームは６０Ｈｚに相当する１６．７ミリ秒である。
【００２３】
再び図１を参照する。駆動回路２０は、画素１１を駆動する。駆動回路２０は、走査線駆動回路２１とデータ線駆動回路２２とを有する。走査線駆動回路２１は、走査線１２に走査信号を供給する。具体的には、走査線駆動回路２１は、ｍ行の走査線１２を順次、選択する。
【００２４】
図３は、データ線駆動回路２２の構成を示す図である。データ線駆動回路２２は、データ線１３にデータ信号を供給する。データ線駆動回路２２は、信号生成回路２３と、信号分配回路２４とを有する。この例で、信号分配回路２４は、画素電極１１４およびスイッチング素子１１２と同じく第１基板上に形成されている。一方、信号生成回路２３は、第１基板とは別のチップに集積回路として形成され、ＦＰＣ（Flexible Printed Circuit）などを用いて実装される。
【００２５】
信号生成回路２３と信号分配回路２４とは、ブロック毎に１本の信号線で接続されている。すなわち、信号生成回路２３と信号分配回路２４とは、ｄ本の信号線２５で接続されている。これらｄ本の信号線２５のうちｉ番目の信号線を信号線２５［ｉ］という。信号生成回路２３は、制御回路３０から供給される映像信号に応じてデータ信号を生成する。信号生成回路２３は、生成されたデータ信号を信号線２５を介してブロック毎に時分割で供給する。
【００２６】
信号分配回路２４は、信号線２５を介して供給されたデータ信号をブロック毎に時分割でｋ本のデータ線１３に供給する。信号分配回路２４は、ｋ本の選択信号線２６とブロック毎に区分されたｄ個のスイッチ群２７を有する。選択信号線２６には、各ブロックにおいてｋ本のデータ線１３の中から一のデータ線１３を選択するための信号（以下「選択信号ＳＥＬ」という）が供給される。これらｋ本の選択信号線２６のうちｊ番目の選択信号線を選択信号線２６［ｊ］といい、選択信号線２６［ｊ］に供給される選択信号を選択信号ＳＥＬ［ｊ］という。これらｄ個のスイッチ群２７のうちｉ番目のスイッチ群をスイッチ群２７［ｉ］という。スイッチ群２７は、ｋ個のスイッチング素子２８を有する。スイッチング素子２８は、例えばｎチャネル型のＦＥＴである。ｋ個のスイッチング素子２８のうちｊ番目のスイッチング素子をスイッチング素子２８［ｊ］という。各ブロックにおいて、スイッチング素子２８［１］〜［ｋ］のゲートは、それぞれ選択信号線２６［１］〜［ｋ］に接続されている。スイッチング素子２８［１］〜［ｋ］のソースは、信号線２５に接続されている。スイッチング素子２８［１］〜［ｋ］のドレインは、対応するブロックのデータ線１３［１］〜［ｋ］に接続されている。選択信号線２６［ｊ］に選択状態を示す信号（Ｈレベルの信号）が供給されると、各ブロックにおいてスイッチング素子２８［ｊ］のソースとドレインが導通し、データ線１３［ｊ］にデータ信号が供給される。
【００２７】
再び図１を参照する。制御回路３０は、供給される映像信号に応じて駆動回路２０を制御する。具体的には、制御回路３０は、走査線駆動回路２１に対し、走査線１２の走査の開始タイミングを示す信号を供給する。また、制御回路３０は、データ線駆動回路２２に対し、画素電極１１４への印加電圧を示す映像信号Ｖｘを供給する。
【００２８】
２．動作
２−１．概要
図４は、従来技術に係る電気光学装置の動作を示すタイミングチャートである。垂直同期信号Ｖｓｙｎｃは、垂直同期のタイミングすなわちフレームの始期を示す。水平同期信号Ｈｓｙｎｃは、水平同期のタイミングすなわち選択する走査線１２を切り替えるタイミングを示す。なおこの例では後述の理由により水平期間の長さは一定ではなく変動している。この例で、走査信号Ｇ［１］〜Ｇ［ｍ］は、走査線１２を１本ずつ順番に排他的に選択する信号である。
【００２９】
各水平期間は、１グループに含まれるデータ線１３を順次選択する期間（以下、「書き込み期間Ｔｗｒｔ」という）を含む。書き込み期間Ｔｗｒｔは、各ブロックにおいてｋ個のデータ線１３の中からデータを供給する一のデータ線１３を順次選択する期間を含む。
【００３０】
一部の水平期間は、プリチャージ期間Ｔｐｒｅを含む。プリチャージ期間はプリチャージをするための期間である。プリチャージとは、書き込み期間における書き込み不足（液晶１１５が所望の光学状態になる前に電圧印加が終了してしまうこと）を補償するために、データ線１３（および液晶１１５）をあらかじめ充電（または放電）することをいう。プリチャージ期間Ｔｐｒｅにおいては、すべてのデータ線１３が同時に選択され、プリチャージ電位Ｖｐｒｅが与えられる。表示品質の観点からは全ての水平期間でプリチャージを行うことが好ましい。しかし、消費電力または駆動速度の観点から、全ての水平期間ではプリチャージを行わず、一部の水平期間のみでプリチャージが行われる。図４の例では、奇数番目の水平期間にプリチャージが行われ、偶数番目の水平期間にはプリチャージが行われない。
【００３１】
なおプリチャージ電位Ｖｐｒｅはあらかじめ決められたアルゴリズムに従って決定される。例えば、プリチャージ電位Ｖｐｒｅは、あらかじめ決められた一定の電圧である。あるいは、プリチャージ電位Ｖｐｒｅは、対応する画素（群）の階調値に応じて決められてもよい。
【００３２】
しかし、このような駆動方法によると、プリチャージが行われない水平期間における書き込みが不足してしまう場合がある。本実施形態ではこの問題に対処するため、プリチャージが行われない水平期間については、従来より早いタイミングで走査線１２の選択を開始する。
【００３３】
図５は、一実施形態に係る電気光学装置の動作を示すタイミングチャートである。図中上段（Ａ）は従来の動作例を、下段（Ｂ）は一実施形態の動作例を示している。図５以降の例ではｋ＝４、すなわちデータ線１３が４本で１ブロックである。ここでは説明のため、水平同期信号Ｈｓｙｎｃ、選択信号ＳＥＬ［１］〜［４］、および走査信号Ｇ［１］〜［４］のみを図示している。またこの例では、プリチャージは４水平期間毎に行われる。すべての水平期間は、書き込み期間ＳＥＬ１〜ＳＥＬ４およびポストチャージ期間ＰＳＴＣを含む。プリチャージが行われる水平期間は、さらにプリチャージ期間ＰＲＣを含む。このように、プリチャージが行われる水平期間は、プリチャージが行われない水平期間よりも時間長が長い。
【００３４】
選択信号に着目すると、従来は走査信号Ｇ［１］〜［４］は各水平期間で順次排他的に選択状態（Ｈレベル）になっていたところ（図５（Ａ））、一実施形態においては走査信号Ｇ［２］〜［４］について１つ前の水平期間からＨレベルになっている（図５（Ｂ））。例えば走査信号Ｇ［２］について、従来は第２水平期間の始期からＨレベルになっていたところ、一実施形態においては第１水平期間のプリチャージ期間からＨレベルになっている。この動作により、プリチャージを行わない水平期間における書き込み不足（特に、最初の書き込み期間における書き込み不足）を抑制することができる。
【００３５】
なお、この動作によれば、画素１１には、１行前のデータが書き込まれることになるが、１行前のデータが書き込まれる期間は長くても１水平期間であり、すぐにその画素１１のデータが書き込まれるので実際の表示上の問題はない。
【００３６】
なお図５では走査信号Ｇ［１］〜［４］のみを示しているが、走査信号Ｇ［５］以降は、走査信号Ｇ［１］〜［４］のパターンが繰り返される。すなわち、図５の走査信号Ｇ［１］〜［４］は、走査信号Ｇ［４ｔ＋１］、Ｇ［４ｔ＋２］、Ｇ［４ｔ＋３］、およびＧ［４（ｔ＋１）］と読み替えることができる（ｔは０を含む自然数）。例えば、走査信号Ｇ［５］がＨレベルになるのは第５水平期間の始期からであり、第４水平期間中はＨレベルにならない。以下、より具体的な動作例を説明する。
【００３７】
２−２．ラインローテーション
プリチャージを行う水平期間（すなわちプリチャージを行う走査線１２）が常に固定であると、プリチャージを行うライン（対応する走査線１２に接続された画素１１群。以下「プリチャージライン」という）と行わないラインとで、表示の輝度差が発生する場合がある。そこで、この動作例では、プリチャージラインをローテーションさせる（以下「ラインローテーション」という）。ラインローテーションにおいて、プリチャージラインはフレーム単位で切り替えられる。
【００３８】
図６は、ラインローテーションのパターンを例示する図である。ここでは図６（Ａ）〜（Ｃ）の３つのパターンを例示している。縦軸はラインＬ１〜Ｌ４のプリチャージ期間の有無が、フレーム単位の時間経過に伴って示されている。ラインＬ１〜Ｌ４は、それぞれ、第（４ｔ＋１）行、第（４ｔ＋２）行、第（４ｔ＋３）行、および（第４ｔ＋４）行の画素１１群を示している。図中、ハッチングを施したフレームはプリチャージ期間有りのフレームを、白抜きのフレームはプリチャージ期間無しのフレームを、それぞれ示している。なおこの例では、液晶素子１１１に印加される電圧の極性をフレーム毎に反転させる駆動が行われる。
【００３９】
図６（Ａ）のパターンにおいて、プリチャージラインは１フレーム毎に次のラインに切り替えられる。例えば第１フレームにおいてはラインＬ１でプリチャージが行われ、第２フレームにおいてはラインＬ２でプリチャージが行われる。このパターンによれば、プリチャージラインが時間的に固定されている場合と比較して、ライン間の輝度差を低減することができる。
【００４０】
なお図６（Ａ）のパターンでは、プリチャージ有りのフレームにおける書き込みの極性は常に固定されている。例えばラインＬ１およびＬ３は常に正極性書き込みであり、ラインＬ２およびＬ４は常に負極性書き込みである。このような動作によれば、表示の焼き付きが発生する場合がある。図６（Ｂ）および（Ｃ）は、焼き付きの問題に対処したパターンを示している。
【００４１】
図６（Ｂ）のパターンにおいて、４フレームを単位として最初にプリチャージラインとなるラインが切り替えられる。例えば、第１〜第４フレームでは最初にラインＬ１がプリチャージラインとなり、順次プリチャージラインが切り替わっていく。次に、第５〜第８フレームでは最初にラインＬ２がプリチャージラインとなる。第９〜第１２フレームでは最初にラインＬ３がプリチャージラインとなる。第１３〜第１６フレームでは最初にラインＬ４がプリチャージラインとなる。第１７〜第２０フレームでは再び、最初にラインＬ１がプリチャージラインとなる。このパターンによれば、図６（Ａ）のパターンと比較して極性バランスが改善される。
【００４２】
図６（Ｃ）のパターンにおいて、プリチャージラインは２フレーム毎に次のラインに切り替えられる。例えば第１および第２フレームにおいてはラインＬ１でプリチャージが行われ、第３および第４フレームにおいてはラインＬ２でプリチャージが行われる。このパターンによれば、図６（Ａ）のパターンと比較して極性バランスが改善される。なお、図６（Ｂ）のパターンと（Ｃ）のパターンのどちらのパターンがよいかは、実際の装置でテストして決定する。
【００４３】
２−３．走査信号波形
図７〜１０は、ラインローテーションに用いられる走査信号の波形を例示する図である。ラインローテーションをするためには、そのための波形を有する走査信号を用いる必要がある。図７〜１０は、それぞれ、ラインＬ１〜Ｌ４をプリチャージラインとする場合の走査信号の波形を示している。
【００４４】
図７に示されるように、ラインＬ１をプリチャージラインとする場合、走査信号Ｇ［１］は第１水平期間においてプリチャージ期間ＰＲＣの始期から書き込み期間ＳＥＬ４の終期までＨレベルとなる。走査信号Ｇ［２］は、第１水平期間におけるプリチャージ期間ＰＲＥの始期から第２水平期間における書き込み期間ＳＥＬ４の終期までＨレベルとなる。走査信号Ｇ［３］は、第２水平期間における書き込み期間ＳＥＬ１（最先の書き込み期間）の始期から第３水平期間における書き込み期間ＳＥＬ４の終期までＨレベルとなる。走査信号Ｇ［４］は、第３水平期間における書き込み期間ＳＥＬ１の始期から第４水平期間における書き込み期間ＳＥＬ４の終期までＨレベルとなる。
【００４５】
図８に示されるように、ラインＬ２をプリチャージラインとする場合、走査信号Ｇ［１］は第１水平期間において書き込み期間ＳＥＬ１の始期から書き込み期間ＳＥＬ４の終期までＨレベルとなり、さらに、第４水平期間において書き込み期間ＳＥＬ１の始期から書き込み期間ＳＥＬ４の終期までＨレベルとなる。走査信号Ｇ［２］は、第２水平期間におけるプリチャージ期間ＰＲＥの始期から書き込み期間ＳＥＬ４の終期までＨレベルとなる。走査信号Ｇ［３］は、第２水平期間におけるプリチャージ期間ＰＲＥの始期から第３水平期間における書き込み期間ＳＥＬ４の終期までＨレベルとなる。走査信号Ｇ［４］は、第３水平期間における書き込み期間ＳＥＬ１の始期から第４水平期間における書き込み期間ＳＥＬ４の終期までＨレベルとなる。
【００４６】
以下同様に、ラインＬｊをプリチャージラインとする場合、走査信号Ｇ［ｊ］は、第ｊ水平期間におけるプリチャージ期間ＰＲＥの始期から第ｊ水平期間における書き込み期間ＳＥＬ４の終期までＨレベルとなる。走査信号Ｇ［ｊ＋１］は、第ｊ水平期間におけるプリチャージ期間ＰＲＥの始期から第（ｊ＋１）水平期間における書き込み期間ＳＥＬ４の終期までＨレベルとなる。このように、プリチャージラインに対応する走査信号Ｇは１水平期間内のみＨレベルになり、プリチャージライン以外のラインに対応する走査信号Ｇは２水平期間に渡ってＨレベルになる。なおこの２水平期間は連続している場合と離散している場合とがある。
【００４７】
図１１〜１４は、ラインローテーションに用いられる走査信号の波形の別の例を示す図である。これらの例では、プリチャージを行わないラインについて、走査信号がＨレベルとなるタイミングが図７〜１０と異なっている。具体的には、走査信号は、図７〜１０の例では１つ前の水平期間の始期からＨレベルとなっているのに対し、図１１〜１４の例では１つ前の水平期間におけるポストチャージ期間の始期からＨレベルとなっている。１つ前の水平期間の始期から走査信号をＨレベルとすると、その分、消費電力が増加する懸念がある。しかし、走査信号がＨレベルとなるタイミングを後倒しすることにより、消費電力の増加を低減することができる。
【００４８】
なお、走査信号をＨレベルとするタイミングは図７〜１４で示した例に限定されない。プリチャージを行わないラインの走査信号をＨレベルとするタイミングは１つ前の水平期間内であればいつでもよい。例えば、走査信号をＨレベルとするタイミングは、プリチャージ期間の途中、書き込み期間Ｓ［１］の始期、書き込み期間Ｓ［２］の始期等であってもよい。
【００４９】
３．適用例
図１５は、一実施形態に係るプロジェクター２１００を例示する図である。プロジェクター２１００は、電気光学装置１００を用いた電子機器の一例である。プロジェクター２１００において、電気光学装置１００がライトバルブとして用いられている。この図に示されるように、プロジェクター２１００の内部には、ハロゲンランプ等の白色光源を有するランプユニット２１０２が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇおよび１００Ｂにそれぞれ導かれる。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。
【００５０】
プロジェクター２１００において、電気光学装置１００を含む液晶表示装置が、Ｒ色、Ｇ色、Ｂ色のそれぞれに対応して３組設けられている。ライトバルブ１００Ｒ、１００Ｇおよび１００Ｂの構成は、上述した電気光学装置１００と同様である。Ｒ色、Ｇ色、Ｂ色のそれぞれの原色成分の階調レベルを指定するに映像信号がそれぞれ外部上位回路から供給されて、ライトバルブ１００Ｒ、１００Ｇおよび１００がそれぞれ駆動される。ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に屈折し、Ｇ色の光は直進する。したがって、各原色の画像が合成された後、スクリーン２１２０には、投射レンズ群２１１４によってカラー画像が投射される。
【００５１】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射される。したがって、ライトバルブ１００Ｒ、１００Ｂによる水平走査方向は、ライトバルブ１００Ｇによる水平走査方向と逆向きにして、左右を反転させた像を表示する構成となっている。
【００５２】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００５３】
実施形態ではラインローテーションする例を説明したが、ラインローテーションは行われなくてもよい。
【００５４】
実施形態では水平期間にポストチャージ期間を設ける例を説明したが、ポストチャージ期間は設けられなくてもよい。
【００５５】
ｎ本のデータ線１３は、ｋ本毎に区分されていなくてもよい。すなわち、ｎ本のデータ線１３のうち一部のデータ線に着目した場合において、その着目した一部のデータ線に対して実施形態で説明した処理が行われてもよい。
【００５６】
電気光学装置１００を用いた電子機器は、実施形態で例示したプロジェクターの他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【００５７】
液晶１１５は、ＶＡ液晶に限定されない。ＴＮ液晶等、ＶＡ液晶以外の液晶が用いられてもよい。また、液晶１０５は、ノーマリーホワイトモードの液晶であってもよい。また、液晶以外の電気光学素子が用いられてもよい。電気光学素子としては、液晶の他にも、ＥＰＤ（マイクロカプセル型電気泳動ディスプレイやＥＣＤ（エレクトロクロミックディスプレイ）等が用いられてもよい。
【符号の説明】
【００５８】
１０…表示領域、１１…画素、１２…走査線、１３…データ線、２０…駆動回路、２１…走査線駆動回路、２２…データ線駆動回路、２３…信号生成回路、２４…信号分配回路、２５…信号線、２６…選択信号線、２７…スイッチ群、２８…スイッチング素子、３０…制御回路、１００…電気光学装置、１１１…液晶素子、１１２…スイッチング素子、１１３…保持容量、１１４…画素電極、１１５…液晶、１１６…共通電極、１１７…容量線、２１００…プロジェクター、２１０２…ランプユニット、２１０６…ミラー、２１０８…ダイクロイックミラー、２１１２…ダイクロイックプリズム、２１１４…投射レンズ群、２１２０…スクリーン、２１２１…リレーレンズ系、２１２２…入射レンズ、２１２３…リレーレンズ、２１２４…出射レンズ
【図１】
2015152609.tif 000003
【図２】
2015152609.tif 000004
【図３】
2015152609.tif 000005
【図４】
2015152609.tif 000006
【図５】
2015152609.tif 000007
【図６】
2015152609.tif 000008
【図７】
2015152609.tif 000009
【図８】
2015152609.tif 000010
【図９】
2015152609.tif 000011
【図１０】
2015152609.tif 000012
【図１１】
2015152609.tif 000013
【図１２】
2015152609.tif 000014
【図１３】
2015152609.tif 000015
【図１４】
2015152609.tif 000016
【図１５】
2015152609.tif 000017